(57)【要約】【課題】  部品数の少ないシンプルな構成で、容易に組み立てられ、一時的な作業にも手軽に使用することができる螺旋ハシゴおよび螺旋ハシゴを用いた螺旋階段を提供する。【解決手段】  円筒体の側面上に、断面が略逆Ｔ字型の複数の溝部を前記円筒の長さ方向に形成した支柱と、前記溝部に対応する断面形状で所定長さを有する突起部と、前記突起部に連接して前記支柱の長さ方向に直角となるように形成された略扇形平板状の簡易段板部と、を備え、前記支柱のいずれかの末端から前記溝部に前記突起部を挿入して、前記支柱側面の任意の位置に前記簡易段板部を固定することが可能な段板固定具と、で構成され、複数の前記段板固定具が前記支柱の周りに螺旋状に配置されるように固定して組み立てる。【選択図】図１
2011084998.tif 000002
【特許請求の範囲】
【請求項１】
円筒体の側面上に、断面が略逆Ｔ字型の複数の溝部を前記円筒の長さ方向に形成した支柱と、
前記溝部に対応する断面形状で所定長さを有する突起部と、前記突起部に連接して前記支柱の長さ方向に直角となるように形成された略扇形平板状の簡易段板部と、を備え、前記支柱のいずれかの末端から前記溝部に前記突起部を挿入して、前記支柱側面の任意の位置に前記簡易段板部を固定することが可能な段板固定具と、で構成され、
複数の前記段板固定具が前記支柱の周りに螺旋状に配置されるように固定して組み立てることを特徴とする螺旋ハシゴ。
【請求項２】
前記支柱の前記円筒体および前記溝部は同一材料で一体成型されることを特徴とする請求項１に記載の螺旋ハシゴ。
【請求項３】
前記支柱は、アルミニウムの押し出し成型材にて形成されることを特徴とする請求項２に記載の螺旋ハシゴ。
【請求項４】
前記段板固定具の前記突起部および前記簡易段板部は同一材料で一体成型されることを特徴とする請求項１から３のいずれか一項に記載の螺旋ハシゴ。
【請求項５】
請求項１から４のいずれか一項に記載の螺旋ハシゴと、
前記段板固定具の前記簡易段板部に装着可能で、より大きな階段のステップを形成する略扇形平板状の段板と、で構成されることを特徴とする螺旋階段。
【発明の詳細な説明】
【技術分野】
【０００１】  本発明は、部品数の少ないシンプルな構成で、容易に組み立てられ、手軽に使用できる螺旋ハシゴおよび螺旋ハシゴを用いた螺旋階段に関する。
【背景技術】
【０００２】  高所で作業を行うために用いるハシゴは、作業中の転落を防止する目的などで、安全性を高めるための各種工夫がなされてきた（例えば、特許文献１または２を参照）。しかしながら、ハシゴ上を安全に昇降するには、作業者が上体を若干起こし両手でハシゴの支柱を把持しながら移動しなければならない。そのため、通常のハシゴでは、作業者が手に荷物を持ちながら昇降することは一般的に困難であるという本質的な問題があった。【０００３】  一方、高所に昇降するための別の手段として螺旋階段がある。螺旋階段は、上記のハシゴのように両手で支柱を把持しながら昇降する必要がないため、例えば、作業者は、片手に荷物を持ちながら昇降することもできる。【０００４】  この螺旋階段についても、現場における施工性や組み立て精度を向上させるための各種工夫が提案されてきた。従来の螺旋階段は、階段を構成する段板を支持する段板支持鋼板を支柱に溶接して螺旋状に配置し、さらに各段板支持鋼板の上に段板を溶接してから現場へ搬送するのが一般的であった。これは、現場での溶接作業において段板の取り付け精度にばらつきが生じるのを防止するためであるが、ユニットを完成させてから搬送するため、全体の嵩が大きくなり搬送コストがかかるという問題があった。【０００５】  これを解決するため、支柱に形成した支持部材に連接棒と踏み板の一端を固定し、踏み板を連接棒で吊り下げる構成とした螺旋階段（例えば、特許文献３を参照）や、円筒状の支柱に段板を直接ボルト締めする構成とした螺旋階段（例えば、特許文献４を参照）などが提案されている。【０００６】  これらの螺旋階段によれば、溶接が不要で、しかも現場で螺旋階段を組み立てられるため、搬送コストを削減できるが、その反面、支柱と段板を固定するためのボルト締めなど、現場における作業が煩わしいという問題があった。【０００７】  一方、現場作業の煩雑さを解決するため、円柱形の支柱に筒状部を含む段板を順番に挿入し、螺旋状に配置して階段を形成する螺旋階段（例えば、特許文献５または特許文献６を参照）や、同じく円柱状の支柱にリング部を含む段板と円筒状のスペーサーを交互に挿入し、螺旋状に配置して階段を形成する螺旋階段（例えば、特許文献７または特許文献８を参照）などが提案されている。さらに、支柱も数段に分割し、段板と支柱を積み重ねて階段を組み立てる構成の螺旋階段（例えば、特許文献９を参照）や、段板と分割した支柱とを一体化したユニットを積み重ねて階段を組み立てる構成の螺旋階段（例えば、特許文献１０を参照）なども提案されている。【０００８】  これらの螺旋階段によれば、支柱への段板の配置および固定が簡単で、煩雑なボルト締めなども比較的少なく、現場における作業性が良好で、且つ、精度よく組み立てを行うことができる。しかしながら、筒状部を含む段板や、段板と分割した支柱とを一体化したユニットなど、螺旋階段を構成する部材数や、また、部材そのものを構成する部品数が非常に多くなり、製造コストが高いという問題や、部材管理が煩雑であるという問題があった。【０００９】  このように、従来の螺旋階段は、現場における作業のしやすさと、シンプルな部品構成および安価な製造コストとを両立させるもの��はなかった。特に、従来の螺旋階段は、ハシゴと比較して構成が複雑であるため、ハシゴのように一時的な作業に手軽に利用されることがなく、両手を拘束されることなく昇降できるという折角の利点を十分に提供できていないという潜在的な問題があった。これを解消するには、ハシゴと同程度に簡単な構成で、組み立てやすく、一時的な作業にも手軽に使用できる螺旋ハシゴの提供が期待される。
【先行技術文献】
【特許文献】
【００１０】
【特許文献１】特開２００１−２６２９６３号公報（第３頁〜第５頁、図１）
【特許文献２】特開２００５−３０７７２０号公報（第２頁〜第３頁、図１）
【特許文献３】特開２００２−２０６３２０号公報（第２頁〜第３頁、図１）
【特許文献４】特開２００６−３１６５７７号公報（第４頁〜第５頁、図２）
【特許文献５】特開２００２−１６７９２９号公報（第３頁〜第４頁、図１）
【特許文献６】特開２００３−１３８７１５号公報（第３頁〜第６頁、図２）
【特許文献７】特開２００７−２２４７２０号公報（第３頁〜第９頁、図４）
【特許文献８】特開２００８−００２０９２号公報（第２頁〜第８頁、図３）
【特許文献９】特開２００５−２２０６５６号公報（第７頁〜第９頁、図３）
【特許文献１０】特開２００６−２０７１５８号公報（第４頁〜第８頁、図４）
【発明の概要】
【発明が解決しようとする課題】
【００１１】  そこで本発明は上記従来の課題に鑑みてなされたものであり、部品数の少ないシンプルな構成で、容易に組み立てられ、一時的な作業にも手軽に使用することができる螺旋ハシゴおよび螺旋ハシゴを用いた螺旋階段を提供することを目的とする。
【課題を解決するための手段】
【００１２】  上記課題を解決するため、本発明の螺旋ハシゴは、円筒体の側面上に、断面が略逆Ｔ字型の複数の溝部を前記円筒の長さ方向に形成した支柱と、前記溝部に対応する断面形状で所定長さを有する突起部と、前記突起部に連接して前記支柱の長さ方向に直角となるように形成された略扇形平板状の簡易段板部と、を備え、前記支柱のいずれかの末端から前記溝部に前記突起部を挿入して、前記支柱側面の任意の位置に前記簡易段板部を固定することが可能な段板固定具と、で構成され、複数の前記段板固定具が前記支柱の周りに螺旋状に配置されるように固定して組み立てることを特徴とする。
上記構成によれば、主要な部材が一体成型され、部品数の少ないシンプルな構成となっているため、組み立て作業が容易で、一時的な作業にも手軽に使用することができる。また、ハシゴ全体としての製造コストも低減することができる。【００１３】  また、本発明の螺旋ハシゴは、請求項１に記載の螺旋ハシゴであって、前記支柱の前記円筒体および前記溝部は同一材料で一体成型されることを特徴とする。
上記構成によれば、支柱および支柱と簡易段板の固定手段を安価に製造することができ、したがって、螺旋ハシゴ全体としての製造コストを低減することができる。【００１４】  また、本発明の螺旋ハシゴは、請求項２に記載の螺旋ハシゴであって、前記支柱は、アルミニウムの押し出し成型材にて形成されることを特徴とする。
上記構成によれば、支柱および支柱と簡易段板の固定手段を安価に製造することができ、したがって、螺旋ハシゴ全体としての製造コストを低減することができる。【００１５】  また、本発明の螺旋ハシゴは、請求項１から３のいずれか一項に記載の螺旋ハシゴであって、前記段板固定具の前記突起部および前記簡易段板部は同一材料で一体成型されることを特徴とする。
上記構成によれば、支柱と簡易段板の固定手段を安価に製造することができ、したがって、螺旋ハシゴ全体としての製造コストを低減することができる。【００１６】  上記課題を解決するため、本発明の螺旋階段は、請求項１から４のいずれか一項に記載の螺旋ハシゴと、前記段板固定具の前記簡易段板部に装着可能で、より大きな階段のステップを形成する略扇形平板状の段板と、で構成されることを特徴とする。
上記構成によれば、主要な部材が一体成型され、部品数の少ないシンプルな構成となっているため、組み立て作業を容易に行うことができる。また、階段全体としての製造コストも低減することができる。
【発明の効果】
【００１７】  本発明の螺旋ハシゴおよび螺旋ハシゴを用いた螺旋階段によれば、部品数の少ないシンプルな構成であるため、組み立て作業が容易で、特に、螺旋ハシゴは、一時的な作業にも手軽に使用することができる。また、全体としての製造コストを低減することができる。
【図面の簡単な説明】
【００１８】
【図１】  本発明の実施の形態における螺旋ハシゴの外観を示す斜視図である。
【図２】  本発明の実施の形態における螺旋ハシゴの支柱の形状を示す図である。
【図３】  本発明の実施の形態における螺旋ハシゴの段板固定具の形状を示す図である。
【図４】  本発明の実施の形態における螺旋ハシゴの、支柱の溝部の断面形状例を示す図である。
【図５】  本発明の実施の形態における螺旋階段の外観を示す斜視図である。
【図６】  本発明の実施の形態における螺旋階段の、簡易段板部に段板を固定する様子を説明するための図である。
【発明を実施するための形態】
【００１９】  以下、本発明の実施の形態における螺旋ハシゴおよび螺旋ハシゴを用いた螺旋階段について図面を用いて詳細に説明する。
【００２０】  はじめに、図１は、本発明の実施の形態における螺旋ハシゴの外観を示す斜視図である。螺旋ハシゴ１００は、主に、支柱１０、段板固定具２０で構成される。
【００２１】  図２は、本発明の実施の形態における螺旋ハシゴの支柱の形状を示す図である。支柱１０は円筒体であり、その外側面上に断面が略逆Ｔ字型の溝部１１が円筒の長さ方向にわたって複数形成されている。なお、本実施の形態では、支柱１０はアルミニウムの押し出し成型材にて形成されている。即ち、支柱１０の円筒体および溝部１１は同一材料で一体成型されている。
【００２２】  図３は、本発明の実施の形態における螺旋ハシゴの段板固定具の形状を示す図である。段板固定具２０は、支柱１０の溝部１１に対応する断面形状で所定長さを有する突起部２１と、突起部２１に連接して支柱１０の長さ方向に直角となるように形成された略扇形平板状の簡易段板部２２と、を備えている。突起部２１と簡易段板部２２との間には、段板固定具２０を支柱１０に固定するロックイモネジ４０用のネジ穴２４が２箇所形成されている。
【００２３】  また、簡易段板部２２には、後述するように、より大きな面積の段板をリベット等で固定して螺旋階段を構成するための穴部２５が１０箇所形成されている。簡易段板部２２の下方には、強度を付与するためのリブ２３が形成されている。以上の構成の段板固定具２０は、例えば、アルミニウムダイキャストや樹脂の一体成型により形成されている。
【００２４】  図１に示すように、螺旋ハシゴ１００は、支柱１０のいずれかの末端から、支柱１０の溝部１１に対応する断面形状の突起部２１を挿入し、所定の位置で段板固定具２０を固定して形成される。固定は、前述のロックイモネジ４０を２箇所のネジ穴２４から溝部１１の底面に当接するまで螺入して行う。段板固定具２０を異なる溝部１１に順番に挿入し、適切な間隔で固定していくことにより、支柱１０の周りに段板固定具２０を螺旋状に配置することができる。なお、挿入する順番を変えることにより、螺旋ハシゴを右回り、左回りのどちらにも組み立てることができる。
【００２５】  本発明の実施の形態における螺旋ハシゴは、主要な部材が、支柱１０と段板固定具２０の僅か２種類でシンプルな構成であり、且つ、それらは、押し出し成型材およびダイキャストなどの一体部品で構成されているので、部品点数が少なく、容易に組み立て作業を行うことができる。また、支柱１０の根元部分を適切に固定すれば、従来のハシゴを掛ける感覚で、あらゆる場所で手軽に螺旋ハシゴを使用することができる。この螺旋ハシゴは、一般的な螺旋階段のような手摺こそないものの、ステップが螺旋状であるため、両手で支柱を把持する必要はなく、例えば、作業者は、片手に荷物を持ち、片手で支柱を掴みながら安全に螺旋ハシゴ上を昇降することができる。
【００２６】  ところで、溝部１１およびそれに対応する突起部２１の断面形状である略逆Ｔ字型とは、段板固定具２０が溝部１１から水平方向に引き抜くことができない形状であればどのような形状であってもかまわない。図４は、本発明の実施の形態における螺旋ハシゴの、支柱の溝部の断面形状例を示す図である。支柱１０の中心側の広がっている部分は、略矩形（図４（ａ））、略楕円形（図４（ｂ））、略台形（図４（ｃ））、略円形（図４（ｄ））などが考えられる。
【００２７】  次に、図５は、本発明の実施の形態における螺旋階段の外観を示す斜視図である。螺旋階段２００は、前述の螺旋ハシゴ１００に加え、段板３０、手摺支柱５０、手摺６０、などを付加して構成される。
【００２８】  図６は、本発明の実施の形態における螺旋階段の、簡易段板部に段板を固定する様子を説明するための図である。図に示すように、段板３０は、簡易段板部２２より大きな面積を有する略扇形の板材で、階段のステップを形成する。段板３０には、段板３０をリベット等で螺旋ハシゴ１００の簡易段板部２２に固定するための穴部３１が、簡易段板部２２のそれと対応する位置に１０箇所形成されている。さらに、階段の外周となる末端の両側には、手摺支柱５０を挿入するための穴部３２も２箇所形成されている。なお、段板３０は、木材や高強度のアルミニウム板材、または軽量で強度を満たす薄板鋼板などで形成してよい。
【００２９】  図に示すように、螺旋ハシゴ１００の各段板固定具２０に段板３０を取り付けると、螺旋階段２００のステップが形成される。その際、上下に隣接する段板３０の穴部３２同士が鉛直方向に一致するように固定されていて、これにより、パイプ状の手摺支柱５０ａと５０ｂとが垂直に立ち、同じくパイプ状の手摺６０が適切に支えられる。なお、図５に示すように、手摺６０は、最初（最下段）の段板に立てる手摺支柱６０ａと一体化させてもよい。
【００３０】  上記の実施の形態において、支柱１０に形成する溝部１１の数は、略扇形の段板３０の中心角に応じて形成してよい。具体的には、段板３０の中心角が３０°である場合、支柱１０の周りを１周するのに１２枚の段板３０が必要になるので、１２本の溝部１１を形成しておけばよい。なお、段板３０の中心角が決定されれば、昇り始めの位置（１階）と昇り終わりの位置（２階）の間の角度から、必要な段板３０の枚数および段板３０と段板３０の間の高さは一意に決定される。
【００３１】  本発明の実施の形態における螺旋階段は、主要な部材が、支柱１０、段板固定具２０、段板３０、手摺支柱５０、手摺６０だけのシンプルな構成であり、且つ、それらは、押し出し成型材、ダイキャスト、板材、パイプなどの一体部品で構成されているので、部品点数が少なく、容易に組み立て作業を行うことができる。また、全体としての製造コストを低減することができる。
【００３２】  以上のように、本発明の実施の形態における螺旋ハシゴおよびそれを用いた螺旋階段によれば、組み立て作業が容易で、特に、螺旋ハシゴは、一時的な作業にも手軽に使用することができる。また、安価に螺旋ハシゴや螺旋階段を製造することができる。
【産業上の利用可能性】
【００３３】  本発明に係る螺旋ハシゴおよび螺旋ハシゴを用いた螺旋階段は、組み立てが容易で、一時的な作業にも手軽に使用することができるという効果を有し、現場作業用のハシゴとして有用である。
【符号の説明】
【００３４】１０  支柱
１１  溝部
２０  段板固定具
２１  突起部
２２  簡易段板部
２３  リブ
２４，２５  穴部
３０  段板
３１，３２  穴部
４０  ロックイモネジ
５０  手摺支柱
６０  手摺
１００  螺旋ハシゴ
２００  螺旋階段
【図１】
2011084998.tif 000003
【図２】
2011084998.tif 000004
【図３】
2011084998.tif 000005
【図４】
2011084998.tif 000006
【図５】
2011084998.tif 000007
【図６】
2011084998.tif 000008